(57)【特許請求の範囲】
【請求項１】
多数のグリップ対を複数のステーション毎に間欠停止して移動させつつ、前記グリップ対により吊り下げ状に支持された袋に充填ステーションで被包装物を充填してシールステーションで袋口のシールを施し、該袋を排出ステーションで排出するようにした包装機の充填ステーションの後のステーションにおいて、
機台上に設けたケースに、一対のギヤを噛合させた横軸を夫々回転可能に支持させると共に、各横軸に固定されたレバーの自由端に切断刃を水平方向に夫々取り付け、前記横軸の一方を駆動手段により駆動回転させることによりそれらのレバーを開閉自由に設け、上記袋の底を押し上げる振動板が小ストロークで上下運動自在とされた振動手段を前記充填ステーションの直後のステーションに設け、被包装物が充填された袋の底を該振動手段の小刻みに上下運動を繰り返す振動板により叩くようにして所定高さまで押し上げ、その押し上げられた袋の袋口から上方へ突出する被包装物の不要部を、前記駆動手段の作動によりレバーを閉じさせて前記切断刃により切断し、その切断後に前記振動板を下降させて袋から離れさせるように構成したことを特徴とする切断装置。
【請求項２】
前記切断刃の内の一方は２枚の刃を上下に一定間隔を置いて配設され、他方の切断刃はそれらの刃の間に介入するように設けられていることを特徴とする請求項１に記載の切断装置。
【発明の詳細な説明】
【０００１】
【発明の属する技術分野】
本発明は、包装袋に充填されて袋口のシール処理前における被包装物の不要部を切断する装置に関する。
【０００２】
【従来の技術】
被包装物として、例えば食品野菜の萌やしを包装機により包装する場合には、図６に示す育成用マットｍに根付いて立ち上がった１袋分の萌やしｆを充填手段により袋に投入しているが、その投入時に育成用マットｍから根が抜けてしまった萌やしの上部ｆ′が、図７に示すようにシール箇所に残ることがある。その状態で袋口のシールが施されると、シール部分に萌やしの上部ｆ′が咬み込まれてしまい、萌やしを咬み込んでシールされた袋は、あまり見栄えがよくなく、密封状態が芳しくないことがある。そこで、その萌やしの咬み込み現象を防止するために、萌やしの投入直後に前記マットから抜けて飛び出した萌やしを人手により一々取り除くことも行われていた。
【０００３】
【発明が解決しようとする課題】
萌やし等の被包装物を袋口に咬み込んだままシールされた袋は、あまり見栄えがよくなく、密封状態についても芳しくないことがある。また、作業者が前述のマットから抜けて飛び出した萌やしを一々取り除くことは非常に煩わしく、包装効率が低いものであった。
【０００４】
この発明の目的は、袋口のシール箇所に介在する被包装物の不要部を自動的に切断処理することにより、後工程において良好なシールを施すことが可能な切断装置を提供することにある。
【０００５】
【課題を解決するための手段】
前記目的を達成するために請求項１に記載の発明は、多数のグリップ対を複数のステーション毎に間欠停止して移動させつつ、前記グリップ対により吊り下げ状に支持された袋に充填ステーションで被包装物を充填してシールステーションで袋口のシールを施し、該袋を排出ステーションで排出するようにした包装機の充填ステーションの後のステーションにおいて、機台上に設けたケースに、一対のギヤを噛合させた横軸を夫々回転可能に支持させると共に、各横軸に固定されたレバーの自由端に切断刃を水平方向に夫々取り付け、前記横軸の一方を駆動手段により駆動回転させることによりそれらのレバーを開閉自由に設け、上記袋の底を押し上げる振動板が小ストロークで上下運動自在とされた振動手段を前記充填ステーションの直後のステーションに設け、被包装物が充填された袋の底を該振動手段の小刻みに上下運動を繰り返す振動板により叩くようにして所定高さまで押し上げ、その押し上げられた袋の袋口から上方へ突出する被包装物の不要部を、前記駆動手段の作動によりレバーを閉じさせて前記切断刃により切断し、その切断後に前記振動板を下降させて袋から離れさせるように構成したことを特徴とする。
【０００６】
請求項２に記載した発明は、請求項１に記載の切断装置において、前記切断刃の内の一方は２枚の刃を上下に一定間隔を置いて配設され、他方の切断刃はそれらの刃の間に介入するように設けられていることを特徴とするものである。
【０００７】
【発明の作用及び効果】
被包装物を充填された袋の底が、振動手段の小刻みに上下運動を繰り返す振動板により叩かれるようにして所定高さまで押し上げられると、その袋口から被包装物の上方の不要部が突出する。その時に駆動手段の作動によりレバーが閉じられるので、被包装物の不要部は切断刃により迅速に切断される。
ついで、振動板が下降して袋から離れるので、被包装物は袋内に落ち付いて、袋口に被包装物の不要部が介在しなくなる。
【０００８】
乾燥状態のスパゲティめん等のかたくてもろい性質の被包装物の場合には、請求項２に記載の２枚の刃とその間に介入する切断刃により、不要部を挟んで切断を行う。
【０００９】
この切断装置によれば、袋口のシールを施す箇所に介在する被包装物の不要部を自動的に切断処理することができて、包装効率の向上に寄与する。加えて、袋口に被包装物の不要部が介在しなくなるため、品質の良好なシールを施すことが可能となる。
【００１０】
【発明の実施の形態】
以下に、本発明の実施の形態例を図面に基づいて説明する。図１は切断装置の正面図、図２は要部の縦断正面図、図３は図２のＡ−Ａ線断面図、図４は切断刃の他の形態を示す斜視図、図５は切断装置を設置する包装機の概要平面図である。
【００１１】
この切断装置Ｃは、図５に示すロータリー方式の包装機ｐのv工程に設置される。この包装機ｐの概要構成は、給袋ステーションi、印字ステーションii、充填ステーションiii、袋底振動ステーションiv、被包装物の不要部切断ステーションv、シールステーションvi、シール部冷却・排出ステーションvii、アイドルステーションviiiの８工程からなり、多数のグリップ対ｇを複数のステーション毎に間欠停止して移動させつつ、グリップ対ｇにより吊り下げ状に支持された袋ａに被包装物を充填して袋口ｂのシールを施し、そのシール部分を一旦冷却させてから機外に排出するようにされている。
【００１２】
切断装置Ｃの支柱２を包装機ｐの機台１上に立設し、該支柱２の上端にケース３を設ける。そのケース３には、一対の横軸５、６を平行に配置して軸受７、８により夫々回転可能に支持させると共に、各横軸５、６に取り付けたギヤ９、１０を噛合させる。図２に示すように、ケース３の天板３ａ内面にエヤーシリンダ１３のヘツド側トラニオン形用ブラケット１２を取り付け、該エヤーシリンダ１３のロッド側の先端部１４を前記横軸５に固定されたアーム１１の自由端に連結するように設ける。
なお、上記エヤーシリンダ１３によって横軸５を駆動回転させる構成は、駆動手段の一例であって、そのほか前記横軸の何れか一方をモータ装置により駆動する構成とすることも可能である。
【００１３】
１５は前記ケース３の側方から突出する横軸５の軸端に一端部１５ａを固定したレバーであって、該レバー１５の自由端の取付板１６には、一文字形の切断刃１７を水平方向に取り付ける。同様に、ケース３の側方から突出する横軸６の軸端にはレバー１８の一端部１８ａを固定し、該レバー１８の自由端の取付板１９にも一文字形の切断刃２０を水平方向に取り付ける。これら切断刃１７、２０は、被包装物が図６に示す食品野菜の萌やしの場合に適するものである。
【００１４】
また、被包装物が乾燥状態のスパゲティめん等のかたくて折れ易い性状の場合には、図４に示すように、切断刃の内の一方の切断刃１１７は、２枚の刃１１７ａ、１１７ｂを上下に一定間隔を置いて設けたコ字形状とし、他方の切断刃１２０をそれら２枚刃の間に介入するように設けることが好ましい。
【００１５】
しかして、エヤーシリンダ１３の作動により横軸５を一定角度範囲で正逆回転させてレバー１５、１８を開閉自由に設け、かかるレバー１５、１８の開閉動作によって切断刃１７と切断刃２０とを接離自在に構成する。
【００１６】
３０は振動手段であって、図１に示すように振動手段３０の案内部材３１は機台１上に取り付けられ、該案内部材３１にガイドバー３２を垂直方向に摺動自由に支持させる。そのガイドバー３２の先端部には横方向に延びるブラケット３３を固定し、該ブラケット３３に袋ａの底ｃを押上げるためのゴム板材からなる振動板３４を設ける。そのガイドバー３２の下端部は、公知構成の駆動回転制御されるカムにより上下に揺動運動を行う揺動レバーの自由端に連結されている。
しかして、この振動手段３０は揺動レバーの揺動作用により、振動板３４を小ストロークで上下運動をさせるように構成されている。
【００１７】
つぎに、上記した切断装置の作動について説明する。
包装機ｐにおいて、図６に示す被包装物である萌やしｆを投入された袋ａが、前工程の袋底振動ステーションivの振動手段により底ｃを叩かれつつ被包装物の不要部切断ステーションvに間欠停止すると、このステーションvの振動手段３０の小刻みに上下運動を繰り返す振動板３４によって、その袋ａの底ｃが叩かれるように所定高さまで押し上げられる。
これにより、育成用マットｍから根が抜けた萌やしｆの上方の不要部ｆ′のみが、その袋ａの袋口ｂから突出する。その時に、エヤーシリンダ１３のロッドが伸長作動してレバー１５、１８を閉じるので、その不要部ｆ′は切断刃１７、２０により迅速に切断される。
ついで、振動板３４が下降して袋ａから離れるので、萌やしｆは袋内に落ち付く。しかして、袋口ｂには萌やしｆの不要部ｆ′が残らない。
【００１８】
以上、この切断装置によれば、袋口のシールを施す箇所に介在する被包装物の不要部を人手を煩わすことなく、自動的に切断処理することができる。
【図面の簡単な説明】
【図１】切断装置の正面図
【図２】要部の縦断正面図
【図３】図２のＡ−Ａ線断面図
【図４】切断刃の他の形態を示す斜視図
【図５】切断装置を設置する包装機の概要平面図
【図６】被包装物の一例を示す斜視図
【図７】袋に被包装物が投入された状態を示す説明図
【符号の説明】
Ｃ→切断装置  ｐ→包装機  ｇ→グリップ対
ａ→袋  ｂ→袋口  ｃ→底  ｆ→萌やし(被包装物)  ｆ′→不要部
１→機台  ３→ケース  ５、６→横軸  ９、１０→ギヤ
１３→エヤーシリンダ(駆動手段)  １５、１８→レバー  １７、２０→切断刃
３０→振動手段  ３４→振動板  １１７、１２０→切断刃
【図１】
0004053155.tif 000002
【図２】
0004053155.tif 000003
【図３】
0004053155.tif 000004
【図４】
0004053155.tif 000005
【図５】
0004053155.tif 000006
【図６】
0004053155.tif 000007
【図７】
0004053155.tif 000008